(57)【要約】【課題】大型化を防ぐと共に、効率的に梱包できる包装箱を提供する。【解決手段】蓋に設けられ、包装箱の内側に差し込まれる差込片と、前記蓋を閉じた状態にロックするロック片とを有すると共に、収納物を収納する包装箱であって、前記ロック片は、閉じられた前記蓋をロックするロック位置から、当該ロック位置から退避した退避位置へ前記ロック片を回動させる支点部と、前記ロック片が前記退避位置にある場合に、前記差込片が差し込まれる領域から前記収納物を退避させるように押圧力を前記収納物に与える第１の押圧部とを有することを特徴とする包装箱を提供する。【選択図】  図１
2007091245.tif 000002
【特許請求の範囲】
【請求項１】
蓋に設けられ、包装箱の内側に差し込まれる差込片と、前記蓋を閉じた状態にロックするロック片とを有すると共に、収納物を収納する包装箱であって、
前記ロック片は、閉じられた前記蓋をロックするロック位置から、当該ロック位置から退避した退避位置へ前記ロック片を回動させる支点部と、
前記ロック片が前記退避位置にある場合に、前記差込片が差し込まれる領域から前記収納物を退避させるように押圧力を前記収納物に与える第１の押圧部とを有することを特徴とする包装箱。
【請求項２】
前記第１の押圧部と前記蓋をロックするロック部とが、前記支点部に対して反対の位置に形成されることを特徴とする請求項１記載の包装箱。
【請求項３】
前記包装箱は、前記第１の押圧部の押圧力により押圧されて前記収納物を押圧すると共に、前記第１の押圧部よりも大きい第２の押圧部とを更に有することを特徴とする請求項１記載の包装箱。
【請求項４】
蓋に設けられ、包装箱の内側に差し込まれる差込片を有すると共に、収納物を収納する包装箱であって、前記差込片が差し込まれる領域から前記収納物が退避するように押圧力を前記収納物に与える押圧片とを有することを特徴とする包装箱。
【請求項５】
収納物を梱包する梱包方法であって、
請求項１乃至４のうちいずれか一項記載の包装箱に収納された前記収納物に押圧力を加える押圧工程と、
当該押圧工程で押圧力が加えられることにより前記収納物が移動して生じた空隙に前記包装箱の蓋に設けられた差込片を差し込む差込工程とを有することを特徴とする梱包方法。
【発明の詳細な説明】
【技術分野】
【０００１】
本発明は、一般的には、包装箱に係り、特に、開閉式の蓋を有する包装箱に関する。
【背景技術】
【０００２】
近年の電子機器の低コスト化に伴い、電子機器の出荷工程においても効率的な作業が要求される。この場合、電子機器を梱包する工程においては、主に、包装箱が使用される。包装箱は、低コスト化のため製造工程及び組み立て工程のほとんどが自動化で行われている。
【０００３】
包装箱は、搬送中に蓋が不用意に開封しないように蓋の一部が包装箱内部に差し込まれている。更に、包装箱は、蓋の不用意な開封をより確実に防ぐために蓋をロックするロック片も形成されている。また、包装箱は、電子機器本体だけでなく付属品や、取扱説明書などの印刷物も収納している。この場合、付属品や、取扱説明書などの印刷物は、電子機器本体の形状に依存して収納場所が決められており、包装箱の高さを抑えたい場合には、包装箱の手前、つまり、蓋の一部が差し込まれる位置に立てて収納される。
【０００４】
しかし、その位置に付属品や取扱説明書などが収納されると、蓋の差し込み部が付属品や取扱説明書などに当たってしまう。この場合、指で付属品や取扱説明書を支えながら蓋の一部を差し込む必要があった。それにより、蓋閉め工程が複雑なため、全ての組み立てを自動化することができなかった。この場合、付属品や取扱説明書を包装箱の内側面や内後面に収納することも考えられるが、収納された電子機器に蓋の差し込み部が当たってしまうため好ましくない。また、付属品や取扱説明書が取り出しにくくなる。
【０００５】
そこで、作業性を改善したロック片を有する包装箱が開示されている（例えば、特許文献１及び２を参照のこと）。この場合、特許文献１は、蓋部分に開口溝を設け、その開口溝に指をかけてロック片を押すことで容易に開封できる。特許文献２は、電子機器と包装箱の側面との間に、仕切り板を配置している。それにより、特許文献２は、蓋の差し込み部が差し込める空間を確保している。
【特許文献１】特開２００２−１０４３７９号公報
【特許文献２】特開２００１−２７８２５１号公報
【発明の開示】
【発明が解決しようとする課題】
【０００６】
しかしながら、特許文献１の構成であると、ある程度の空間が包装箱の上部になければならないため、包装箱が大型化してしまう。
【０００７】
また、特許文献２は、蓋の差し込み部を差し込む空間を形成しているが、係る空間の幅が、差し込み部の厚みと同じ幅である。そのため、蓋の差し込み部が差し込みづらく、手動では対応できるが、自動化では困難であった。その結果、梱包工程の作業性が低下してしまう。
【０００８】
そこで、本発明は、大型化を防ぐと共に、効率的に梱包できる包装箱を提供することを例示的な目的とする。
【課題を解決するための手段】
【０００９】
本発明の一側面としての包装箱は、蓋に設けられ、包装箱の内側に差し込まれる差込片と、前記蓋を閉じた状態にロックするロック片とを有すると共に、収納物を収納する包装箱であって、前記ロック片は、閉じられた前記蓋をロックするロック位置から、当該ロック位置から退避した退避位置へ前記ロック片を回動させる支点部と、前記ロック片が前記退避位置にある場合に、前記差込片が差し込まれる領域から前記収納物を退避させるように押圧力を前記収納物に与える第１の押圧部とを有することを特徴とする。
【００１０】
本発明の別の側面としての包装箱は、蓋に設けられ、包装箱の内側に差し込まれる差込片を有すると共に、収納物を収納する包装箱であって、前記差込片が差し込まれる領域から前記収納物が退避するように押圧力を前記収納物に与える押圧片とを有することを特徴とする。
【００１１】
本発明の別の側面としての梱包方法は、収納物を梱包する梱包方法であって、上記包装箱に収納された前記収納物に押圧力を加える押圧工程と、当該押圧工程で押圧力が加えられることにより前記収納物が移動して生じた空隙に前記包装箱の蓋に設けられた差込片を差し込む差込工程とを有することを特徴とする。
【００１２】
本発明の他の目的及び更なる特徴は、以下添付図面を参照して説明される好ましい実施例によって明らかにされるであろう。
【発明の効果】
【００１３】
本発明によれば、大型化を防ぐと共に、効率的に梱包できる包装箱を提供することができる。
【発明を実施するための最良の形態】
【００１４】
以下、添付図面を参照して、本発明の一側面としての包装箱１００について説明する。ここで、図１は、包装箱１００を示す斜視図である。図２は、包装箱１００を示す展開図である。
【００１５】
包装箱１００は、収納物２００及び２１０を保護及び収納する機能を有する。包装箱１００は、紙製箱であり、特に、段ボールを使用する。包装箱１００は、図示しない発泡スチロールなどの衝撃緩衝材も収納されている。衝撃緩衝材は、収納物２００及び２１０を保護する機能を有し、収納物２００及び２１０によって形状が異なる。包装箱１００は、蓋部１１０と、右側面部１２０と、左側面部１３０と、前面部１４０と、後面部１５０と、底面部１６０とを有する。
【００１６】
蓋部１１０は、収納物２００及び２１０を保護する機能を有する。また、蓋部１１０は、収納物２００及び２１０が包装箱１００からの飛び出しを防止する機能も有する。蓋部１１０は、後述する後面部１５０と開閉可能に連接する。蓋部１１０は、差込フラップ部１１１を有する。
【００１７】
差込フラップ部１１１は、包装箱１００の内部に差し込むために使用される。そのため、差込フラップ部１１１は、折り曲げ可能に蓋部１１０の先端と連接している。また、差込フラップ部１１１は、蓋部１１０の先端と連接している部分に切り込み１１０ａがある。切り込み１１０ａは、後述するロック部１４６が挿入される。
【００１８】
右側面部１２０は、収納物２００及び２１０を保護する機能を有する。右側面部１２０は、図２に示すように、後述する前面部１４０及び第４の底面部材１６４と連接している。また、組み立てられた包装箱１００においては、後述する接続部１５１を介して、後述する後面部１５０と連接する。また、右側面部１２０は、内フラップ部１２１を有する。
【００１９】
内フラップ部１２１は、包装箱１００内部を密封するために形成される。つまり、内フラップ部１２１は、外部からの埃やゴミなどの侵入を防ぐ。また、内フラップ部１２１は、収納物２００及び２１０に覆われた包装袋などが蓋部１１０と右側面部１２０との間に挟まることを防止する。尚、内フラップ部１２１は、右側面部１２０と連接しており、係る連接部分から折り曲げることができる。
【００２０】
左側面部１３０は、収納物２００及び２１０を保護する機能を有する。左側面部１３０は、図２に示すように、後述する前面部１４０、後面部１５０及び第２の底面部材１６２と連接している。また、左側面部１３０は、内フラップ部１３１を有する。
【００２１】
内フラップ部１３１は、包装箱１００内部を密封するために形成される。つまり、内フラップ部１３１は、外部からの埃やゴミなどの侵入を防ぐ。また、内フラップ部１３１は、収納物２００及び２１０に覆われた包装袋などが蓋部１１０と左側面部１３０との間に挟まることを防止する。尚、内フラップ部１３１は、左側面部１３０と連接しており、係る連接部分から折り曲げることができる。
【００２２】
前面部１４０は、収納物２００及び２１０を保護する機能を有する。前面部１４０は、図２に示すように、右側面部１２０、左側面部１３０及び後述する第３の底面部材１６３と連接している。また、前面部１４０は、板部１４１と、ロック片１４５とを有している。
【００２３】
板部（第２の押圧部）１４１は、収納物２１０に収納部２００方向への押圧力を加える機能を有する。板部１４１は、前面部１４０と連接しており、係る連接部分から折り曲げることができる。この場合、板部１４１は、包装箱１００の内側に折り曲げられる。つまり、板部１４１は、折り曲げられることによって発生する反発力によって収納物２１０を収納物２００方向へ押している。また、板部１４１は、包装箱１００の内側に折り曲げ易いように、先端部が細くなると共に、角が取られている。更に、板部１４１は、後述する押圧部１４７よりも大きい。そのため、押圧部１４７からの押圧力が均等に収納物２１０に伝えられるため、収納物２１０が、差込片１１１を差し込む領域から均等に退避する。
【００２４】
ロック片１４５は、蓋部１１０をロックする機能を有する。この場合、ロック片１４５は、切り込み１１０ａに後述するロック部１４６の一部を挿入することによって蓋部１１０をロックする。ロック片１４５は、前面部１４０及び板部１４１に形成される。更に、ロック片１４５は、収納物２１０に押圧力を加える。ロック片１４５は、ロック部１４６と、押圧部１４７と、支持部１４８とを有する。
【００２５】
ロック部１４６は、蓋部１１０をロックする機能を有する。ロック部１４６は、図２に示すように、Ｕ形状の切り込み１４１ａの内側の部分であり、前面部１４０及び板部１４１に形成される。ロック部１４６は、後述する支持部１４８に対してロック片１４５の上端部分をさす。また、ロック部１４６の長さは、ｂ´＋ｂであり、距離ｂの位置で折り曲げられる。この場合、距離ｂは、折り曲げ部分から後述する支持部１４８までの距離ｂ´よりも短い。なぜなら、ロック部１４６は、支持部１４８を支点として回転しているので、距離ｂが距離ｂ´よりも長ければ、切り込み１１０ａに抜差しできないからである。
【００２６】
また、蓋部１１０の差込フラップ部１１１の長さ（距離）をｄとすると、距離ｂ´は、距離ｄよりも長い。なぜなら、差込フラップ部１１１は、前面部１４０の内側に差し込まれるため、距離ｄが距離ｂ´よりも長いと、後述する押圧部１４７が回転できなくなるからである。
【００２７】
押圧部（第１の押圧部）１４７は、差込片１１１が差し込まれる領域から収納物２１０を退避させるように押圧力を収納物２１０に与える機能を有する。つまり、押圧部１４７は、収納物２１０を収納物２００方向へ押圧することによって、空間ｅを作る。それにより、押圧部１４７は、蓋部１１０の差込フラップ部１１１を挿入し易くすることができる。この場合、押圧部１４７は、加えられた押圧力を板部１４１に伝達して、板部１４１が収納物２１０を押している。また、押圧部１４７は、Ｕ形状の切り込み１４０ａの内側の部分であり、前面部１４０に形成される。押圧部１４７は、支持部１４８に対してロック部１４６と逆の位置である。つまり、押圧部１４７は、後述する支持部１４８に対してロック片１４５の下端部分をさす。押圧部１４７は、ａの長さ（距離）を有する。この場合、距離ａと距離ｂ´とを加えた距離を距離ｃ´とすると、距離ｃ´は、板部１４１の長さ（距離）ｃよりも短い。なぜなら、距離ｃ´が距離ｃよりも長ければ、押圧部１４７の先端が板部１４１の面に接触しないからである。それによって、押圧部１４７の押圧力を板部１４１に伝達することができなくなるという問題が生じる。尚、押圧部１４７の形状は、Ｕ字形状でも四角形状でもよい。
【００２８】
支持部１４８は、閉じられた蓋１１０をロックするロック位置から、係るロック位置から退避した退避位置へロック片１４５を回動させる機能を有する。支持部１４８は、ロック部１４６と押圧部１４７との間の切り込まれていない部分をさす。また、ロック片１４５が前面部１４０と別体で構成される場合、支持部１４８は、針金などの軸であってもよい。
【００２９】
後面部１５０は、収納物２００及び２１０を保護する機能を有する。後面部１５０は、図２に示すように、蓋部１１０、左側面部１３０及び後述する第１の底面部材１６１と連接している。また、後面部１５０は、接続部１５１を有し、接続部１５１を介して右側面部１２０と接続されている。尚、接続部１５１は、例えば、接着剤が塗布され、かかる接着剤によって後面部１５０と右側面部１２０とを接着する。
【００３０】
底面部１６０は、収納物２００及び２１０を保護する機能を有する。底面部１６０は、図２に示すように、第１の底面部材１６１、第２の底面部材１６２、第３の底面部材１６３及び第４の底面部材１６４を有する。底面部１６０は、第１の底面部材１６１、第２の底面部材１６２、第３の底面部材１６３及び第４の底面部材１６４を組み合わせることで形成されている。
【００３１】
第１の底面部材１６１は、収納物２００及び２１０を保護する機能を有する。第１の底面部材１６１は、後面部１５０と連接している。また、第１の底面部材１６１は、先端中央に台形形状の切り欠きがある。かかる切り欠き部分に後述する第２の底面部材１６２及び第４の底面部材１６４の一部を挿入することによって底面部１６０が形成される。
【００３２】
第２の底面部材１６２は、収納物２００及び２１０を保護する機能を有する。第２の底面部材１６２は、左側面部１３０と連接している。第２の底面部材１６２は、台形形状であり、先端が細くなっている。
【００３３】
第３の底面部材１６３は、収納物２００及び２１０を保護する機能を有する。第３の底面部材１６３は、前面部１４０と連接している。また、第３の底面部材１６３は、先端中央に台形形状の切り欠きがある。かかる切り欠き部分に第２の底面部材１６２及び後述する第４の底面部材１６４の一部を挿入することによって底面部１６０が形成される。
【００３４】
第４の底面部材１６４は、収納物２００及び２１０を保護する機能を有する。第４の底面部材１６４は、右側面部１２０と連接している。第４の底面部材１６４は、台形形状であり、先端が細くなっている。
【００３５】
収納物２００は、電子機器本体であり、収納物２１０は、付属品や取扱説明書である。尚、収納物２００は、図示しない衝撃緩衝材によって保護されている。尚、図３に示すように、複数の付属品や取扱説明書等の収納物２１１、２１３及び２１５がある場合でも、包装箱１００は、板部１４１が形成されているため、広い面積で収納物２１１、２１３及び２１５に押圧力を加えることができる。ここで、図３は、複数の収納物２１１、２１３及び２１５が収納された包装箱１００を示す斜視図である。
【００３６】
以上のように、包装箱１００は、ロック片１４５及び板部１４１によって、蓋部１１０の差込フラップ１１１が差し込み易くなるので、収納物２００及び２１０の梱包工程を自動化することができる。その結果、作業効率の高い包装箱１００を提供することができる。
【００３７】
また、不要な大型化によって、差込フラップ１１１の差し込みを容易にしていないため、包装箱１００の大型化を防ぐことができる。
【００３８】
以下、図４及び図５を参照して、収納物２００を包装箱１００に梱包する梱包工程を説明する。ここで、図４は、収納物２００を包装箱１００に梱包する梱包工程を示す構成図である。図５は、梱包工程を説明するフローチャートである。
【００３９】
まず、包装箱１００を組み立てる（ステップ５０１）。この場合、図示しない組み立て装置によって、包装箱１００が組み立てられる。次に、収納物２１０を収納する（ステップ５０３）。この場合、図示しない搬送装置が収納物２００及び２１０を搬送し、組み立てられた包装箱１００に収納物２００及び２１０を収納する。
【００４０】
そして、ロック片１４５を退避位置βへ回動させる（ステップ５０５）。つまり、ロック片駆動装置５１０は、閉じられた蓋１１０をロックするロック位置αから、ロック位置αから退避した退避位置βへとロック片１４５を回動させる。それにより、押圧部１４７が板部１４１に押圧力を加え、板部１４１が収納物２１０を押す。収納物２１０が押圧されることによって空間ｅが発生する。差込片１１１を差し込む（ステップ５０７）。ここでは、封止装置５２０が蓋部１１０を閉じる。その場合、予め、差込フラップ部１１１が折り曲げられており、空間ｅに挿入される。そして、ロック片１４５をロック位置αへ回動させる（ステップ５０９）。ここでは、ロック片駆動装置５１０は、ロック片１４５を退避位置βからロック位置αへ回動させる。それにより、蓋部１１０がロックされる。
【００４１】
このように、包装箱１００は、ロック片１４５及び板部１４１によって、空間ｅが形成されるため、蓋部１１０の差込フラップ１１１が差し込み易くなり、収納物２００及び２１０の梱包工程を自動化することができる。その結果、作業効率の高い包装箱１００を提供することができる。
【００４２】
以下、図６を参照して、包装箱１００の別の実施例としての包装箱１００Ａを説明する。ここで、図６は、包装箱１００Ａを示す断面図である。
【００４３】
包装箱１００Ａは、収納物２００及び２１０を保護及び収納する機能を有する。包装箱１００Ａは、蓋部１１０と、右側面部１２０と、左側面部１３０と、前面部１４０Ａと、後面部１５０と、底面部１６０とを有する。本実施例では、前面部１４０Ａが前述の包装箱１００の前面部１４０に取って代わっている。
【００４４】
前面部１４０Ａは、収納物２００及び２１０を保護する機能を有する。前面部１４０Ａは、板部１４１Ａを有し、前面部１４０と異なり、ロック片が配置されていない。しかしながら、後述する板部１４１Ａが収納物２１０に押圧力を加えている。
【００４５】
板部（第２の押圧部）１４１Ａは、収納物２１０を収納部２００方向へ押圧する機能を有する。板部１４１Ａは、前面部１４０Ａと連接しており、係る連接部分から折り曲げることができる。この場合、板部１４１Ａは、包装箱１００Ａの内側に折り曲げられる。つまり、板部１４１Ａは、折り曲げられることによって発生する反発力によって収納物２１０を収納物２００方向へ押している。また、板部１４１Ａは、包装箱１００の内側に折り曲げ易いように、先端部が細くされていると共に、角が取られている。
【００４６】
以上のように、包装箱１００Ａは、前面部１４０Ａの板部１４１Ａによって空間ｅが形成されるので、蓋部１１０の差込フラップ１１１が差し込み易くなり、収納物２００及び２１０の梱包工程を自動化することができる。その結果、作業効率の高い包装箱１００を提供することができる。
【００４７】
また、不要な大型化によって、差込フラップ１１１の差し込みを容易にしていないため、包装箱１００Ａの大型化を防ぐことができる。
【００４８】
以上、本発明の好ましい実施例について説明したが、本発明はこれらの実施例に限定されないことは言うまでもなく、その要旨の範囲内で種々の変形及び変更が可能である。
【図面の簡単な説明】
【００４９】
【図１】本発明の包装箱を示す概略斜視図である。
【図２】図１に示す包装箱の概略展開図である。
【図３】図１に示す包装箱の別の実施例としての包装箱を示す概略斜視図である。
【図４】図１に示す包装箱に電子機器を梱包する方法を示す概略断面図である。
【図５】図４に示す包装箱を使用した収納物の梱包工程を示すフローチャートである。
【図６】図１に示す包装箱の別の実施例としての包装箱を示す概略断面図である。
【符号の説明】
【００５０】
１００          包装箱
１１０          蓋部
１１０ａ        切り込み
１１１          差込フラップ部
１２０          右側面部
１２１          内フラップ部
１３０          左側面部
１３１          内フラップ部
１４０          前面部
１４１          板部（第２の押圧部）
１４５          ロック片
１４６          ロック部
１４７          押圧部（第１の押圧部）
１４８          支持部
１５０          後面部
１５１          接続部
１６０          底面部
１６１          第１の底面部材
１６２          第２の底面部材
１６３          第３の底面部材
１６４          第４の底面部材
２００、２１０  収納物
【図１】
2007091245.tif 000003
【図３】
2007091245.tif 000004
【図２】
2007091245.tif 000005
【図４】
2007091245.tif 000006
【図５】
2007091245.tif 000007
【図６】
2007091245.tif 000008